(57)【要約】  端末能力交渉方法、端末および基地局を提供する。マルチシステムにおける各無線アクセスネットワークに対する端末のスタンドアローン能力、および、マルチシステムにおける全無線アクセスネットワークに対する端末の融合能力を端末からネットワークに報知する。【選択図】  図２
2019534621.tif 000002
【特許請求の範囲】
【請求項１】
マルチシステムにおける各無線アクセスネットワークに対する端末のスタンドアローン能力、および、マルチシステムにおける全無線アクセスネットワークに対する端末の融合能力を端末からネットワークに報知することを含む端末能力交渉方法。
【請求項２】
前記融合能力は、端末にサポートされるマルチシステムにおける各無線アクセスネットワークの周波数帯の組み合わせ、および各周波数帯に対応する能力パラメータを含む請求項１に記載の方法。
【請求項３】
各周波数帯に対応する能力パラメータは、Ｉｎｄｅｘで識別される請求項２に記載の方法。
【請求項４】
各Ｉｎｄｅｘに対応する具体的パラメータ値は、無線アクセスシステムに対する端末のスタンドアローン能力で定義される請求項３に記載の方法。
【請求項５】
マルチシステムにおける各無線アクセスネットワークに対する端末のスタンドアローン能力、および、マルチシステムにおける全無線アクセスネットワークに対する端末の融合能力を前記端末からネットワークに報知することは、
前記端末が、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知することを含む請求項１に記載の方法。
【請求項６】
前記端末が、プライマリ基地局から送信される無線パラメータを受信することをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する請求項１に記載の方法。
【請求項７】
前記端末が、プライマリ基地局から送信された変更後無線パラメータを受信することをさらに含み、
前記変更後無線パラメータは、無線パラメータの変更が必要となる場合、プライマリ基地局にトリガされ、交渉して特定される請求項１に記載の方法。
【請求項８】
前記端末が、プライマリ基地局から送信された変更後無線パラメータを受信することをさらに含み、
前記変更後無線パラメータは、無線パラメータの変更が必要となる場合、セカンダリ基地局にトリガされ、交渉して特定される請求項１に記載の方法。
【請求項９】
プライマリ基地局が、マルチシステムにおける各無線アクセスネットワークに対する端末のスタンドアローン能力、および、マルチシステムにおける全無線アクセスネットワークに対する端末の融合能力を端末から報知することをトリガすることを含む端末能力交渉方法。
【請求項１０】
前記融合能力は、端末にサポートされるマルチシステムにおける各無線アクセスネットワークの周波数帯の組み合わせ、および各周波数帯に対応する能力パラメータを含む請求項９に記載の方法。
【請求項１１】
各周波数帯に対応する能力パラメータは、Ｉｎｄｅｘで識別される請求項１０に記載の方法。
【請求項１２】
各Ｉｎｄｅｘに対応する具体的パラメータ値は、無線アクセスシステムに対する端末のスタンドアローン能力で定義される請求項１１に記載の方法。
【請求項１３】
プライマリ基地局が、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することをさらに含む請求項９に記載の方法。
【請求項１４】
セカンダリ基地局がプライマリ基地局から推薦される能力指示情報に基づいて構成したセカンダリリンクの無線パラメータを、プライマリ基地局から前記端末に送信することをさらに含む請求項９に記載の方法。
【請求項１５】
無線パラメータの変更が必要となる場合、プライマリ基地局がトリガして交渉することと、
プライマリ基地局が変更後無線パラメータを前記端末に送信することとをさらに含む請求項９に記載の方法。
【請求項１６】
マルチシステムにおける各無線アクセスネットワークに対する端末のスタンドアローン能力、および、マルチシステムにおける全無線アクセスネットワークに対する端末の融合能力をネットワークに報知することに用いられる送信モジュールを含む端末。
【請求項１７】
前記融合能力は、少なくとも、端末にサポートされるマルチシステムにおける各無線アクセスネットワークの周波数帯の組み合わせ、および各周波数帯に対応する能力パラメータを含む請求項１６に記載の端末。
【請求項１８】
各周波数帯に対応する能力パラメータは、Ｉｎｄｅｘで識別される請求項１７に記載の端末。
【請求項１９】
各Ｉｎｄｅｘに対応する具体的パラメータ値は、無線アクセスシステムに対する端末のスタンドアローン能力で定義される請求項１８に記載の端末。
【請求項２０】
前記送信モジュールは、
プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知することに用いられる請求項１６に記載の端末。
【請求項２１】
プライマリ基地局から送信される無線パラメータを受信することに用いられる受信モジュールをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する請求項１６に記載の端末。
【請求項２２】
受信モジュールは、さらに、プライマリ基地局から送信された変更後無線パラメータを受信することに用いられ、
前記変更後無線パラメータは、無線パラメータの変更が必要となる場合、プライマリ基地局にトリガされ、交渉して特定される請求項１６に記載の端末。
【請求項２３】
受信モジュールは、さらに、プライマリ基地局から送信された変更後無線パラメータを受信することに用いられ、
前記変更後無線パラメータは、無線パラメータの変更が必要となる場合、セカンダリ基地局にトリガされ、交渉して特定される請求項１６に記載の端末。
【請求項２４】
マルチシステムにおける各無線アクセスネットワークに対する端末のスタンドアローン能力、および、マルチシステムにおける全無線アクセスネットワークに対する端末の融合能力を端末から報知することをトリガすることに用いられるトリガモジュールを含む基地局。
【請求項２５】
前記融合能力は、少なくとも、端末にサポートされるマルチシステムにおける各無線アクセスネットワークの周波数帯の組み合わせ、および各周波数帯に対応する能力パラメータを含む請求項２４に記載の基地局。
【請求項２６】
各周波数帯に対応する能力パラメータは、Ｉｎｄｅｘで識別される請求項２５に記載の基地局。
【請求項２７】
各Ｉｎｄｅｘに対応する具体的パラメータ値は、無線アクセスシステムに対する端末のスタンドアローン能力で定義される請求項２６に記載の基地局。
【請求項２８】
端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することに用いられる推薦モジュールをさらに含む請求項２４に記載の基地局。
【請求項２９】
セカンダリ基地局がプライマリ基地局から推薦される能力指示情報に基づいて構成したセカンダリリンクの無線パラメータを端末に送信することに用いられる送信モジュールをさらに含む請求項２４に記載の基地局。
【請求項３０】
無線パラメータの変更が必要となる場合、プライマリ基地局がトリガして交渉することに用いられる交渉モジュールと、
変更後無線パラメータを前記端末に送信することに用いられる送信モジュールとをさらに含む請求項２４に記載の基地局。
【請求項３１】
プロセッサと、
前記プロセッサの制御下でデータを送受信することに用いられるトランシーバとを含む端末において、
前記プロセッサは、
マルチシステムにおける各無線アクセスネットワークに対する端末のスタンドアローン能力、および、マルチシステムにおける全無線アクセスネットワークに対する端末の融合能力をネットワークに報知するように構成される端末。
【請求項３２】
プロセッサと、
前記プロセッサの制御下でデータを送受信することに用いられるトランシーバとを含む基地局において、
前記プロセッサは、
マルチシステムにおける各無線アクセスネットワークに対する端末のスタンドアローン能力、および、マルチシステムにおける全無線アクセスネットワークに対する端末の融合能力を端末から報知することをトリガするように構成される基地局。
【請求項３３】
プロセッサによって実行されることのできるコンピュータ読取可能な指令が格納された不揮発性コンピュータ読取可能な記憶媒体であって、
前記コンピュータ読取可能な指令がプロセッサによって実行されると、
前記プロセッサは、
マルチシステムにおける各無線アクセスネットワークに対する端末のスタンドアローン能力、および、マルチシステムにおける全無線アクセスネットワークに対する端末の融合能力をネットワークに報知する不揮発性コンピュータ読取可能な記憶媒体。
【請求項３４】
プロセッサによって実行されることのできるコンピュータ読取可能な指令が格納された不揮発性コンピュータ読取可能な記憶媒体であって、
前記コンピュータ読取可能な指令がプロセッサによって実行されると、
前記プロセッサは、
マルチシステムにおける各無線アクセスネットワークに対する端末のスタンドアローン能力、および、マルチシステムにおける全無線アクセスネットワークに対する端末の融合能力を端末から報知することをトリガする不揮発性コンピュータ読取可能な記憶媒体。
【発明の詳細な説明】
【技術分野】
【０００１】
本願は、２０１６年９月３０日に中国特許庁に提出された中国特許出願２０１６１０８７５７１８．４の優先権を主張し、その全ての内容が援用によりここに取り込まれる。
【０００２】
本開示は、通信技術分野に係り、特に端末能力交渉方法、端末および基地局に係る。
【背景技術】
【０００３】
ネットワークが進化し続けるにつれて、従来の単一無線アクセスシステム間でコラボレーション／アグリゲーションが行われるネットワークアーキテクチャは、将来の発展に適していない。５Ｇや他の無線アクセスシステムと４Ｇネットワークとのハイブリッド展開では、２種以上の異なる無線アクセスシステムを融合させることによって、無線通信システム全体の性能をさらに向上させる。
【０００４】
関連技術において、ＵＥが同一システム（例えばＬＴＥシステムまたはＮＲシステム）でのみダブルリンク動作を行うことができるので、ＵＥ能力は、当該システム内のプライマリノード、セカンダリノードによってそれぞれ解析され、対応するリソース割当動作が行われ、能力がオーバーにならないことが確保される。
【０００５】
しかし、マルチシステムの融合シーンにおいて、異なるシステムに対するＵＥの能力は、互いに独立している。ＵＥの最大能力がオーバーにならないことを確保するには、マルチシステムの無線リソースの効果的協調を確保する新規のＵＥ能力交渉メカニズムが必要である。
【発明の概要】
【発明が解決しようとする課題】
【０００６】
上述した技術課題に鑑み、本開示の実施例は、端末能力交渉方法、端末および基地局を提供することによって、マルチシステムの融合シーンにおいて端末の最大能力がオーバーにならないことを確保し、マルチシステムの無線リソースの効果的協調を確保する。
【課題を解決するための手段】
【０００７】
本開示の実施例の第１態様として、端末能力交渉方法を提供する。
前記方法において、マルチシステムにおける各無線アクセスネットワークに対する端末のスタンドアローン能力、および、マルチシステムにおける全無線アクセスネットワークに対する端末の融合能力を端末からネットワークに報知することを含む。
【０００８】
選択可能に、前記融合能力は、少なくとも、端末にサポートされるマルチシステムにおける各無線アクセスネットワークの周波数帯の組み合わせ、および各周波数帯に対応する能力パラメータを含む。
【０００９】
選択可能に、各周波数帯に対応する能力パラメータは、Ｉｎｄｅｘ方式で識別される。
【００１０】
選択可能に、各Ｉｎｄｅｘに対応する具体的パラメータ値は、無線アクセスシステムに対する端末のスタンドアローン能力で定義される。
【００１１】
選択可能に、マルチシステムにおける各無線アクセスネットワークに対する端末のスタンドアローン能力、および、マルチシステムにおける全無線アクセスネットワークに対する端末の融合能力を前記端末からネットワークに報知することは、
前記端末が、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知することを含む。
【００１２】
選択可能に、前記方法において、前記端末が、プライマリ基地局から送信される無線パラメータを受信することをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する。
【００１３】
選択可能に、前記方法において、前記端末が、プライマリ基地局から送信された変更後無線パラメータを受信することをさらに含み、
前記変更後無線パラメータは、無線パラメータの変更が必要となる場合、プライマリ基地局にトリガされ、交渉して特定される。
【００１４】
選択可能に、前記方法において、前記端末が、プライマリ基地局から送信された変更後無線パラメータを受信することをさらに含み、
前記変更後無線パラメータは、無線パラメータの変更が必要となる場合、セカンダリ基地局にトリガされ、交渉して特定される。
【００１５】
本開示の実施例の第２態様として、端末能力交渉方法をさらに提供する。前記方法において、プライマリ基地局が、マルチシステムにおける各無線アクセスネットワークに対する端末のスタンドアローン能力、および、マルチシステムにおける全無線アクセスネットワークに対する端末の融合能力を端末から報知することをトリガすることを含む。
【００１６】
選択可能に、前記融合能力は、少なくとも、端末にサポートされるマルチシステムにおける各無線アクセスネットワークの周波数帯の組み合わせ、および各周波数帯に対応する能力パラメータを含む。
【００１７】
選択可能に、各周波数帯に対応する能力パラメータは、Ｉｎｄｅｘ方式で識別される。
【００１８】
選択可能に、各Ｉｎｄｅｘに対応する具体的パラメータ値は、無線アクセスシステムに対する端末のスタンドアローン能力で定義される。
【００１９】
選択可能に、前記方法において、プライマリ基地局が、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することをさらに含む。
【００２０】
選択可能に、前記方法において、セカンダリ基地局がプライマリ基地局から推薦される能力指示情報に基づいて構成したセカンダリリンクの無線パラメータを、プライマリ基地局から前記端末に送信することをさらに含む。
【００２１】
選択可能に、前記方法において、無線パラメータの変更が必要となる場合、プライマリ基地局がトリガして交渉することと、
プライマリ基地局が変更後無線パラメータを前記端末に送信することとをさらに含む。
【００２２】
本開示の実施例の第３態様として、端末をさらに提供する。前記端末は、マルチシステムにおける各無線アクセスネットワークに対する端末のスタンドアローン能力、および、マルチシステムにおける全無線アクセスネットワークに対する端末の融合能力をネットワークに報知することに用いられる送信モジュールを含む。
【００２３】
選択可能に、前記融合能力は、少なくとも、端末にサポートされるマルチシステムにおける各無線アクセスネットワークの周波数帯の組み合わせ、および各周波数帯に対応する能力パラメータを含む。
【００２４】
選択可能に、各周波数帯に対応する能力パラメータは、Ｉｎｄｅｘ方式で識別される。
【００２５】
選択可能に、各Ｉｎｄｅｘに対応する具体的パラメータ値は、無線アクセスシステムに対する端末のスタンドアローン能力で定義される。
【００２６】
選択可能に、前記送信モジュールは、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知する。
【００２７】
選択可能に、前記端末は、プライマリ基地局から送信される無線パラメータを受信することに用いられる受信モジュールをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する。
【００２８】
選択可能に、前記受信モジュールは、さらに、プライマリ基地局から送信された変更後無線パラメータを受信することに用いられ、
前記変更後無線パラメータは、無線パラメータの変更が必要となる場合、プライマリ基地局にトリガされ、交渉して特定される。
【００２９】
選択可能に、前記受信モジュールは、さらに、プライマリ基地局から送信された変更後無線パラメータを受信することに用いられ、
前記変更後無線パラメータは、無線パラメータの変更が必要となる場合、セカンダリ基地局にトリガされ、交渉して特定される。
【００３０】
本開示の実施例の第４態様として、基地局をさらに提供する。前記基地局は、マルチシステムにおける各無線アクセスネットワークに対する端末のスタンドアローン能力、および、マルチシステムにおける全無線アクセスネットワークに対する端末の融合能力を端末から報知することをトリガすることに用いられるトリガモジュールを含む。
【００３１】
選択可能に、前記融合能力は、少なくとも、端末にサポートされるマルチシステムにおける各無線アクセスネットワークの周波数帯の組み合わせ、および各周波数帯に対応する能力パラメータを含む。
【００３２】
選択可能に、各周波数帯に対応する能力パラメータは、Ｉｎｄｅｘ方式で識別される。
【００３３】
選択可能に、各Ｉｎｄｅｘに対応する具体的パラメータ値は、無線アクセスシステムに対する端末のスタンドアローン能力で定義される。
【００３４】
選択可能に、前記基地局は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することに用いられる推薦モジュールをさらに含む。
【００３５】
選択可能に、前記基地局は、セカンダリ基地局がプライマリ基地局から推薦される能力指示情報に基づいて構成したセカンダリリンクの無線パラメータを端末に送信することに用いられる送信モジュールをさらに含む。
【００３６】
選択可能に、前記基地局は、無線パラメータの変更が必要となる場合、プライマリ基地局がトリガして交渉することに用いられる交渉モジュールと、
変更後無線パラメータを前記端末に送信することに用いられる送信モジュールとをさらに含む。
【００３７】
本開示の実施例の第５態様として、端末をさらに提供する。
プロセッサと、
前記プロセッサの制御下でデータを送受信することに用いられるトランシーバとを含む前記端末において、
前記プロセッサは、
マルチシステムにおける各無線アクセスネットワークに対する端末のスタンドアローン能力、および、マルチシステムにおける全無線アクセスネットワークに対する端末の融合能力をネットワークに報知するように構成される。
【００３８】
本開示の実施例の第６態様として、基地局をさらに提供する。
プロセッサと、
前記プロセッサの制御下でデータを送受信することに用いられるトランシーバとを含む前記基地局において、
前記プロセッサは、
マルチシステムにおける各無線アクセスネットワークに対する端末のスタンドアローン能力、および、マルチシステムにおける全無線アクセスネットワークに対する端末の融合能力を端末から報知することをトリガするように構成される。
【００３９】
本開示の実施例の第７態様として、不揮発性コンピュータ読取可能な記憶媒体をさらに提供する。
プロセッサによって実行されることのできるコンピュータ読取可能な指令が格納された不揮発性コンピュータ読取可能な記憶媒体であって、
前記コンピュータ読取可能な記憶媒体がプロセッサによって実行されると、
前記プロセッサは、
マルチシステムにおける各無線アクセスネットワークに対する端末のスタンドアローン能力、および、マルチシステムにおける全無線アクセスネットワークに対する端末の融合能力をネットワークに報知する。
【００４０】
本開示の実施例の第８態様として、不揮発性コンピュータ読取可能な記憶媒体をさらに提供する。
プロセッサによって実行されることのできるコンピュータ読取可能な指令が格納された不揮発性コンピュータ読取可能な記憶媒体であって、
前記コンピュータ読取可能な記憶媒体がプロセッサによって実行されると、
前記プロセッサは、
マルチシステムにおける各無線アクセスネットワークに対する端末のスタンドアローン能力、および、マルチシステムにおける全無線アクセスネットワークに対する端末の融合能力を端末から報知することをトリガする。
【発明の効果】
【００４１】
本開示の上記実施例のいずれによれば、以下のメリット又は有益な効果を有する。
マルチシステムにおける各無線アクセスネットワークに対する端末のスタンドアローン能力、および、マルチシステムにおける全無線アクセスネットワークに対する端末の融合能力を端末からネットワークに報知することによって、マルチシステムの融合シーンにおいて端末の最大能力がオーバーにならないことを確保し、マルチシステムの無線リソースの効果的協調を確保する。
【図面の簡単な説明】
【００４２】
【図１】マルチネットワーク環境を示す。
【図２】本開示の実施例の端末能力交渉方法の実現フローである。
【図３】本開示の実施例の端末能力交渉方法の実現フローである。
【図４】本開示の実施例の端末能力交渉方法の実現フローである。
【図５】本開示の実施例の端末の構造図である。
【図６】本開示の実施例の端末の構造図である。
【図７】本開示の実施例の基地局の構造図である。
【図８】本開示の実施例の基地局の構造図である。
【図９】本開示の実施例の基地局の構造図である。
【図１０】本開示の実施例の基地局の構造図である。
【図１１】本願の実施例の端末能力交渉方法、端末または基地局の実現に適するコンピュータシステムを示す。
【発明を実施するための形態】
【００４３】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００４４】
当業者にとって、本開示の実施形態がシステム、装置、機器、方法またはコンピュータプログラムプロダクトとして実現されうることが明白である。したがって、本開示の実施例は、具体的に、完全ハードウェア形態、完全ソフトウェア（ファームウェア、滞在ソフトウェア、マイクロコードなどを含む）形態、または、ハードウェアとソフトウェアを組み合わせた形態で実現されうる。
【００４５】
本開示の実施例は、端末能力交渉方法を提供することによって、マルチシステムの融合シーンにおいて端末の最大能力がオーバーにならないことを確保し、マルチシステムの無線リソースの効果的協調を確保する。
【００４６】
当該方法において、マルチシステムにおける各無線アクセスネットワークに対する端末のスタンドアローン能力、および、マルチシステムにおける全無線アクセスネットワークに対する端末の融合能力をＵＥ（端末）からネットワークに報知することを含む。
【００４７】
ＬＴＥと５Ｇアクセスネットワークの融合をサポートする端末など、複数の無線アクセスシステムの融合をサポートする端末機器は、マルチシステムにおける各無線アクセスシステムに対する端末のスタンドアローン能力をネットワークに報知するほかに、マルチシステムについて当該端末の融合能力、たとえばＬＴＥと５Ｇ無線アクセスネットワークの融合能力を報知する必要がある。
【００４８】
当該融合能力は、少なくとも、ＬＴＥ無線アクセスネットワークの周波数帯の組み合わせと５Ｇアクセスネットワークの周波数帯の組み合わせなど、端末にサポートされるマルチシステムにおける各無線アクセスネットワークのＢａｎｄ  ｃｏｍｂｉｎａｔｉｏｎｓ（周波数帯の組み合わせ）、および、ＭＩＭＯ（マルチ入力マルチ出力）パラメータなど、各周波数帯に対応する能力パラメータを含む必要がある。なお、以上の融合能力パラメータの説明は、単に例に過ぎない。具体な実現に係る融合能力は、以上の例に限定されない。
【００４９】
本開示の実施例において、各周波数帯に対応する能力パラメータは、Ｉｎｄｅｘ（インデックス）方式で識別され、たとえばＦｒｅｑ  Ｂａｎｄ  Ｉｎｄｉｃａｔｏｒ（周波数周波数帯指示）などが用いられる。このように、各Ｉｎｄｅｘに対応する具体的パラメータ値は、ある無線アクセスシステムに対する端末のスタンドアローン能力で詳細に定義される。このように、１つのアクセスシステムのネットワーク機器が別のアクセスシステムの能力パラメータ情報を解読することが避けられる。
【００５０】
マルチシステムの融合（たとえばＬＴＥと５Ｇ  ＮＲの融合）において、プライマリ基地局（ＬＴＥまたは５Ｇ  ＮＲ）は、端末能力交渉プロセスを引き起こす。すなわち、端末は、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知する。
【００５１】
このプロセスにおいて、プライマリ基地局は、端末から報知されるマルチシステムの融合能力に基づき、プライマリ基地局の無線ネットワーク条件およびプライマリ基地局のＲＲＭ（無線リソース管理）ポリシーのうちの１つまたは複数に関連付けて、適切な能力指示情報（たとえば推薦されるＦｒｅｑ  Ｂａｎｄ  Ｉｎｄｉｃａｔｏｒなどの情報）をセカンダリ基地局（ＬＴＥまたは５Ｇ  ＮＲ）に推薦するとともに、目標無線アクセスシステム、すなわちセカンダリ基地局が属する無線アクセスシステムに対する端末のスタンドアローン能力情報をセカンダリ基地局に転送する（具体的な能力パラメータの特定に供される）。セカンダリ基地局は、推薦される能力指示情報に基づいてセカンダリリンクの無線パラメータを構成し、当該無線パラメータをプライマリ基地局を介して端末にトランスペアレント伝送し、セカンダリリンクの無線構成プロセスを完成する。
【００５２】
任意の無線パラメータ構成に変化が生じる際に、影響を受けた側のプライマリ基地局またはセカンダリ基地局の一方は、端末能力交渉プロセスをトリガして交渉を行い、変更後無線パラメータを端末に配置する。
【００５３】
図１に示される可能なマルチネットワーク環境において、ＬＴＥ  ｅＮＢ（長期進化した無線アクセスシステムの基地局）とＮＲ（Ｎｅｗ  Ｒａｄｉｏ）  ＢＳ（基地局）（５Ｇ無線アクセスシステムの基地局）との間で非理想的な論理インタフェースが用いられ、ＵＥ（端末）からＬＴＥシステムとＮＲシステムへの同時アクセスが可能である。ＬＴＥ  ｅＮＢに接続されるＵＥがＮＲ  ＢＳに対応するセルのカバレッジに移行すると、ＬＴＥ  ｅＮＢは、信号強度または負荷のバランスなどを考慮し、ＵＥのデータをＮＲ  ＢＳにベアラさせてより高いスループットのデータサービスを取得する。
【００５４】
図２は、端末能力交渉方法を示す。当該方法において、プライマリ基地局がＬＴＥ  ｅＮＢ（ＬＴＥ基地局）であり、セカンダリ基地局がＮＲ  ＢＳ（５Ｇ基地局）であり、端末がプライマリ基地局に無線接続される。
【００５５】
他の実施例において、プライマリ基地局がＮＲ  ＢＳであってもよく、セカンダリ基地局がＬＴＥ  ｅＮＢであってもよい。実現プロセスが類似するため、以下の記載において、プライマリ基地局がＬＴＥ  ｅＮＢであり、セカンダリ基地局がＮＲ  ＢＳであることを例として説明する。
【００５６】
当該方法の具体的なステップは、以下である。
ステップ２０１において、プライマリ基地局は、端末による能力情報の報知をトリガする。
ステップ２０２において、端末は、ＬＴＥ無線アクセスシステムに対する端末のスタンドアローン能力情報、ＮＲすなわち５Ｇ無線アクセスシステムに対する端末のスタンドアローン能力情報、および、ＬＴＥとＮＲに対する端末の融合能力情報が含まれる能力情報をプライマリ基地局に報知する。
ステップ２０３において、プライマリ基地局は、端末から報知された、ＬＴＥとＮＲに対する端末の融合能力、現在の無線ネットワーク条件（端末から送信される測定報告から取得される）およびＲＲＭ（無線リソース管理）ポリシーのうちの少なくとも１つに基づいて、１本の新規セカンダリデータリンクの追加を決定し、上記パラメータの選択に基づいて能力指示情報を特定する。
ステップ２０４において、プライマリ基地局は、プライマリ基地局が選択して特定した能力指示情報およびＮＲ（５Ｇシステム）に対する端末のスタンドアローン能力情報などが含まれるＳＣＧ（セカンダリセルグループ）追加要求メッセージをセカンダリ基地局（５Ｇ基地局）に送信する。
ステップ２０５において、セカンダリ基地局は、推薦される能力指示情報に基づいて、セカンダリリンクの無線パラメータを構成する。
ステップ２０６において、セカンダリ基地局は、無線パラメータをＳＣＧ追加応答メッセージによってプライマリ基地局に転送する。
ステップ２０７において、プライマリ基地局は、エアインタフェースでＲＲＣ（無線リソース制御）再構成シグナリングを送信し、セカンダリ基地局が構成した無線パラメータを端末に通知し、セカンダリリンクの無線構成プロセスを完成する。
【００５７】
上述したように、任意の無線パラメータ構成に変化が生じる際に、影響を受けた側のプライマリ基地局またはセカンダリ基地局の一方は、端末能力交渉プロセスをトリガして交渉を行う。
【００５８】
本開示の１つの実施例において、無線パラメータの変更が必要となる場合、プライマリ基地局は、トリガし、交渉して特定する。
【００５９】
本実施例において、端末は、プライマリ基地局、セカンダリ基地局とはマルチリンクサービスが維持される。
【００６０】
図３に示すように、当該実施例の具体的なステップは、以下である。
ステップ３０１において、プライマリ基地局（ＬＴＥ基地局）は、端末からの測定情報を受信し、または、他の無線リソース管理ポリシーなどを取得する。
ステップ３０２において、プライマリ基地局は、セカンダリリンクの無線構成の変更を決定し、ＬＴＥとＮＲの融合集更新プロセスをトリガする。対応する情報は、ＳＣＧ変更要求メッセージによってセカンダリ基地局に送信される。
ステップ３０３において、セカンダリ基地局は、受信判定を行い、変更を受け入れるのであれば、セカンダリ基地局が再構成した無線パラメータ、すなわち変更後無線パラメータが含まれるＳＣＧ変更応答メッセージをプライマリ基地局に返信する。
ステップ３０４において、プライマリ基地局は、エアインタフェースの無線リソース制御再構成シグナリングによって、変更後無線パラメータを端末に通知する。
【００６１】
本開示の１つの実施例において、無線パラメータの変更が必要となる場合、セカンダリ基地局は、トリガし、交渉して特定する。
【００６２】
本実施例において、端末は、プライマリ基地局、セカンダリ基地局とはマルチリンクサービスが維持される。
【００６３】
図４に示すように、当該実施例の具体的なステップは、以下である。
ステップ４０１において、セカンダリ基地局（ＮＲ基地局）は、新規の測定情報を受信する。当該情報は、直接端末から受信するか、プライマリ基地局から転送される。
ステップ４０２において、セカンダリ基地局は、セカンダリリンクの無線構成の変更を決定し、ＬＴＥとＮＲの融合集更新プロセスをトリガする。対応する情報は、セカンダリ基地局が再構成した無線パラメータ、すなわち変更後無線パラメータが含まれるＳＣＧ変更要求メッセージをプライマリ基地局に送信される。
ステップ４０３において、プライマリ基地局は、判定を行い、変更を受け入れるのであれば、ＳＣＧ変更応答メッセージをセカンダリ基地局に返信する。
ステップ４０４において、プライマリ基地局は、エアインタフェースの無線リソース制御再構成シグナリングによって、変更後無線パラメータを端末に通知する。
【００６４】
本開示の実施例は、端末５００をさらに提供する。
図５に示すように、当該端末５００は、具体的に、
マルチシステムにおける各無線アクセスネットワークに対する端末５００のスタンドアローン能力、および、マルチシステムにおける全無線アクセスネットワークに対する端末５００の融合能力をネットワークに報知することに用いられる送信モジュール５１０を含む。
【００６５】
本実施例において、選択可能に、前記融合能力は、少なくとも、端末にサポートされるマルチシステムにおける各無線アクセスネットワークの周波数帯の組み合わせ、および各周波数帯に対応する能力パラメータを含む。
【００６６】
本実施例において、選択可能に、各周波数帯に対応する能力パラメータは、Ｉｎｄｅｘ方式で識別される。
【００６７】
本実施例において、選択可能に、各Ｉｎｄｅｘに対応する具体的パラメータ値は、無線アクセスシステムに対する端末のスタンドアローン能力で定義される。
【００６８】
本実施例において、選択可能に、送信モジュール５１０は、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知する。
【００６９】
本実施例において、選択可能に、図６に示すように、端末５００は、プライマリ基地局から送信される無線パラメータを受信することに用いられる受信モジュール５２０をさらに含む。
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送される。
前記能力指示情報は、マルチシステムにおける全無線アクセスネットワークに対する端末５００から報知される端末５００の融合能力、プライマリ基地局の無線ネットワーク条件およびプライマリ基地局の無線リソース管理ポリシーのうちの１つまたは複数に基づいてプライマリ基地局からセカンダリ基地局に推薦される情報である。
プライマリ基地局は、前記能力指示情報をセカンダリ基地局に推薦する際に、セカンダリ基地局が属する無線アクセスネットワークに対する端末５００から報知される端末５００のスタンドアローン能力をセカンダリ基地局に転送する。
【００７０】
本実施例において、選択可能に、受信モジュール５２０は、さらに、プライマリ基地局から送信された変更後無線パラメータを受信することに用いられる。前記変更後無線パラメータは、無線パラメータの変更が必要となる場合、プライマリ基地局にトリガされ、交渉して特定される。
【００７１】
本実施例において、選択可能に、受信モジュール５２０は、さらに、プライマリ基地局から送信された変更後無線パラメータを受信することに用いられる。前記変更後無線パラメータは、無線パラメータの変更が必要となる場合、セカンダリ基地局にトリガされ、交渉して特定される。
【００７２】
本開示の実施例は、基地局７００をさらに提供する。
図７に示すように、当該基地局７００は、具体的に、
マルチシステムにおける各無線アクセスネットワークに対する端末のスタンドアローン能力、および、マルチシステムにおける全無線アクセスネットワークに対する端末の融合能力を端末から報知することをトリガすることに用いられるトリガモジュール７１０を含む。
【００７３】
本実施例において、選択可能に、前記融合能力は、少なくとも、端末にサポートされるマルチシステムにおける各無線アクセスネットワークの周波数帯の組み合わせ、および各周波数帯に対応する能力パラメータを含む。
【００７４】
本実施例において、選択可能に、各周波数帯に対応する能力パラメータは、Ｉｎｄｅｘ方式で識別される。
【００７５】
本実施例において、選択可能に、各Ｉｎｄｅｘに対応する具体的パラメータ値は、無線アクセスシステムに対する端末のスタンドアローン能力で定義される。
【００７６】
本実施例において、選択可能に、図８に示すように、基地局７００は、具体的に、
端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することに用いられる推薦モジュール７２０をさらに含む。
【００７７】
本実施例において、選択可能に、図９に示すように、基地局７００は、具体的に、
セカンダリ基地局がプライマリ基地局から推薦される能力指示情報に基づいて構成したセカンダリリンクの無線パラメータを端末に送信することに用いられる送信モジュール７３０をさらに含む。
【００７８】
本実施例において、選択可能に、図１０に示すように、基地局７００は、具体的に、
無線パラメータの変更が必要となる場合、プライマリ基地局がトリガして交渉することに用いられる交渉モジュール７４０と、
変更後無線パラメータを端末に送信することに用いられる送信モジュール７３０とをさらに含む。
【００７９】
本開示の上記実施例のいずれによれば、以下のメリット又は有益な効果を有する。
マルチシステムにおける各無線アクセスネットワークに対する端末のスタンドアローン能力、および、マルチシステムにおける全無線アクセスネットワークに対する端末の融合能力を端末からネットワークに報知することによって、マルチシステムの融合シーンにおいて端末の最大能力がオーバーにならないことを確保し、マルチシステムの無線リソースの効果的協調を確保する。
【００８０】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００８１】
本開示の各実施例において、上記各プロセスの番号の大きさは、実行順の前後を意味するのではなく、各プロセスの実行順は、その機能および内在的な論理によって確定されるものであり、本発明の実施例の実施プロセスに対しいっさい限定を構成しないと理解すべきである。
【００８２】
また、本文において、「システム」と「ネットワーク」は、常に互換して使用することができる。
【００８３】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【００８４】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００８５】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【００８６】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【００８７】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【００８８】
以下、図１１を参照する。図１１は、本開示の実施例の端末能力交渉方法、端末または基地局の実現に適するコンピュータシステム１１００の構造図である。
【００８９】
図１１に示すように、コンピュータシステム１１００は、リードオンリーメモリ（ＲＯＭ）１１０２に格納されたプログラムまたは記憶部１１０８からランダムアクセスメモリ（ＲＡＭ）１１０３にロードされたプログラムに基づいて各種類の適切な動作や処理を行うことのできる中央処理ユニット（ＣＰＵ）１１０１を含む。ＲＡＭ１１０３には、システム１１００の操作に必要される各種類のプログラムとデータも格納されている。ＣＰＵ１１０１、ＲＯＭ１１０２およびＲＡＭ１１０３は、バス１１０４を介して互いに接続される。入力／出力（Ｉ／Ｏ）インタフェース１１０５もバス１１０４に接続される。
【００９０】
キーボード、マウスなどを含む入力部１１０６と、陰極線管（ＣＲＴ）、液晶ディスプレイ（ＬＣＤ）などおよびスピーカなどを含む出力部１１０７と、ハードディスクなどを含む記憶部１１０８と、ＬＡＮカード、モデムなどのネットワークインタフェースカードを含む通信部１１０９は、Ｉ／Ｏインタフェース１１０５に接続される。通信部１１０９は、インターネットなどのネットワークを介して通信処理を実行する。ドライバ２１０も必要に応じてＩ／Ｏインタフェース１１０５に接続される。磁気ディスク、光ディスク、光磁気ディスク、半導体メモリなどのリムーバブルメディア２１１は、必要に応じてドライバ２１０にインストールされ、それらから読み出されるコンピュータプログラムが必要に応じて記憶部１１０８にインストールされる。
【００９１】
特に、本開示の実施例に基づいて、以上記載したプロセスは、コンピュータソフトウェアプログラムとして実現されうる。たとえば、本開示の実施例は、機器読取可能なメディアに物理的に含まれるコンピュータプログラムを含むコンピュータプログラムプロダクトを含み、前記コンピュータプログラムは、上記フローチャートの方法を実現することに用いられるプログラムコードを含む。このような実施例において、当該コンピュータプログラムは、通信部１１０９を介してネットワークからダウンロードされてインストールされ、および／または、リムーバブルメディア２１１からインストールされる。
【００９２】
図面におけるフローチャートとブロック図は、本開示の各実施例のシステム、方法、コンピュータプログラムプロダクトに基づいて実現可能な体系的アーキテクチャ、機能、操作を図示する。この点において、フローチャートやブロック図の各ブロックは、１つのモジュール、プログラムセグメント、またはコードの一部を示す。前記モジュール、プログラムセグメント、またはコードの一部は、所定の論理的機能を実現するための実行可能な指令を１つまたは複数含む。なお、一部の差し替え例において、ブロックで示されている機能の発生順は、図面での表示とは異なってもよい。たとえば、続いて示される２つのブロックは、実際上、基本的に並行して実行されるが、逆順で実行されることもあり、その機能によって決められる。なお、ブロック図および／またはフローチャートの各ブロック、および、ブロック図および／またはフローチャートのブロックの組み合わせは、所定の機能または操作を実行するためのハードウェアに基づく専用システム、または、専用ハードウェアとコンピュータ指令の組み合わせによって実現される。
【００９３】
本開示の実施例に係るユニットやモジュールは、ソフトウェア方式で実現されてもよく、ハードウェア方式で実現されてもよい。記載されたユニットやモジュールは、プロセッサに設けられてもよい。これらのユニットやモジュールは、場合によって、当該ユニットやモジュールの名称によって限定されない。
【００９４】
以上の記載は、本開示の好適な実施形態である。なお、当業者にとって、本開示に記載した原理を逸脱することなくいくつかの改良や修飾を行うこともできる。これらの改良や修飾も、本開示の保護範囲に含まれる。
【図１】
2019534621.tif 000003
【図２】
2019534621.tif 000004
【図３】
2019534621.tif 000005
【図４】
2019534621.tif 000006
【図５】
2019534621.tif 000007
【図６】
2019534621.tif 000008
【図７】
2019534621.tif 000009
【図８】
2019534621.tif 000010
【図９】
2019534621.tif 000011
【図１０】
2019534621.tif 000012
【図１１】
2019534621.tif 000013
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
マルチシステムにおける各無線アクセスネットワークに対する端末のスタンドアローン能力、および、マルチシステムにおける全無線アクセスネットワークに対する端末の融合能力を端末からネットワークに報知することを含む端末能力交渉方法。
【請求項２】
前記融合能力は、端末にサポートされるマルチシステムにおける各無線アクセスネットワークの周波数帯の組み合わせ、および各周波数帯に対応する能力パラメータを含み、
各周波数帯に対応する能力パラメータは、Ｉｎｄｅｘで識別され、
各Ｉｎｄｅｘに対応する具体的パラメータ値は、無線アクセスネットワークに対する端末のスタンドアローン能力で定義される請求項１に記載の方法。
【請求項３】
マルチシステムにおける各無線アクセスネットワークに対する端末のスタンドアローン能力、および、マルチシステムにおける全無線アクセスネットワークに対する端末の融合能力を前記端末からネットワークに報知することは、
前記端末が、プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知することを含む請求項１に記載の方法。
【請求項４】
前記端末が、プライマリ基地局から送信される無線パラメータを受信することをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する請求項１に記載の方法。
【請求項５】
前記端末が、プライマリ基地局から送信された変更後無線パラメータを受信することをさらに含み、
前記変更後無線パラメータは、無線パラメータの変更が必要となる場合、プライマリ基地局にトリガされ、交渉して特定され、
または、
前記端末が、プライマリ基地局から送信された変更後無線パラメータを受信することをさらに含み、
前記変更後無線パラメータは、無線パラメータの変更が必要となる場合、セカンダリ基地局にトリガされ、交渉して特定される請求項１に記載の方法。
【請求項６】
プライマリ基地局が、マルチシステムにおける各無線アクセスネットワークに対する端末のスタンドアローン能力、および、マルチシステムにおける全無線アクセスネットワークに対する端末の融合能力を端末から報知することをトリガすることを含む端末能力交渉方法。
【請求項７】
前記融合能力は、端末にサポートされるマルチシステムにおける各無線アクセスネットワークの周波数帯の組み合わせ、および各周波数帯に対応する能力パラメータを含み、
各周波数帯に対応する能力パラメータは、Ｉｎｄｅｘで識別され、
各Ｉｎｄｅｘに対応する具体的パラメータ値は、無線アクセスネットワークに対する端末のスタンドアローン能力で定義される請求項６に記載の方法。
【請求項８】
プライマリ基地局が、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することをさらに含み、
または、
セカンダリ基地局がプライマリ基地局から推薦される能力指示情報に基づいて構成したセカンダリリンクの無線パラメータを、プライマリ基地局から前記端末に送信することをさらに含み、
または、
無線パラメータの変更が必要となる場合、プライマリ基地局がトリガして交渉することと、
プライマリ基地局が変更後無線パラメータを前記端末に送信することとをさらに含む請求項６に記載の方法。
【請求項９】
マルチシステムにおける各無線アクセスネットワークに対する端末のスタンドアローン能力、および、マルチシステムにおける全無線アクセスネットワークに対する端末の融合能力をネットワークに報知することに用いられる送信モジュールを含む端末。
【請求項１０】
前記融合能力は、少なくとも、端末にサポートされるマルチシステムにおける各無線アクセスネットワークの周波数帯の組み合わせ、および各周波数帯に対応する能力パラメータを含み、
各周波数帯に対応する能力パラメータは、Ｉｎｄｅｘで識別され、
各Ｉｎｄｅｘに対応する具体的パラメータ値は、無線アクセスネットワークに対する端末のスタンドアローン能力で定義される請求項９に記載の端末。
【請求項１１】
前記送信モジュールは、
プライマリ基地局のトリガに基づいて、マルチシステムにおける各無線アクセスネットワークに対する端末のスタンドアローン能力、および、マルチシステムにおける全無線アクセスネットワークに対する端末の融合能力をネットワークに報知することに用いられ、
または、
前記端末は、プライマリ基地局から送信される無線パラメータを受信することに用いられる受信モジュールをさらに含み、
前記無線パラメータは、セカンダリ基地局がプライマリ基地局から推薦される能力指示情報に基づいて構成したセカンダリリンクの無線パラメータであって、セカンダリ基地局からプライマリ基地局を介して端末に転送され、
前記能力指示情報は、端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいてプライマリ基地局からセカンダリ基地局に推薦される情報であり、
プライマリ基地局は、前記能力指示情報をセカンダリ基地局に推薦する際に、端末から報知された、セカンダリ基地局が属する無線アクセスネットワークに対する端末のスタンドアローン能力をセカンダリ基地局に転送する請求項９に記載の端末。
【請求項１２】
受信モジュールは、さらに、プライマリ基地局から送信された変更後無線パラメータを受信することに用いられ、
前記変更後無線パラメータは、無線パラメータの変更が必要となる場合、プライマリ基地局にトリガされ、交渉して特定され、
または、
受信モジュールは、さらに、プライマリ基地局から送信された変更後無線パラメータを受信することに用いられ、
前記変更後無線パラメータは、無線パラメータの変更が必要となる場合、セカンダリ基地局にトリガされ、交渉して特定される請求項１１に記載の端末。
【請求項１３】
マルチシステムにおける各無線アクセスネットワークに対する端末のスタンドアローン能力、および、マルチシステムにおける全無線アクセスネットワークに対する端末の融合能力を端末から報知することをトリガすることに用いられるトリガモジュールを含む基地局。
【請求項１４】
前記融合能力は、少なくとも、端末にサポートされるマルチシステムにおける各無線アクセスネットワークの周波数帯の組み合わせ、および各周波数帯に対応する能力パラメータを含み、
各周波数帯に対応する能力パラメータは、Ｉｎｄｅｘで識別され、
各Ｉｎｄｅｘに対応する具体的パラメータ値は、無線アクセスネットワークに対する端末のスタンドアローン能力で定義される請求項１３に記載の基地局。
【請求項１５】
端末から報知された、マルチシステムにおける全無線アクセスネットワークに対する端末の融合能力、プライマリ基地局の無線ネットワーク条件およびプライマリ基地局の無線リソース管理ポリシーのうちの１つまたは複数に基づいて能力指示情報をセカンダリ基地局に推薦し、端末から報知された、セカンダリ基地局が属する無線アクセスネットワークに対する端末のスタンドアローン能力をセカンダリ基地局に転送することに用いられる推薦モジュールをさらに含み、
または、
セカンダリ基地局がプライマリ基地局から推薦される能力指示情報に基づいて構成したセカンダリリンクの無線パラメータを端末に送信することに用いられる送信モジュールをさらに含み、
または、
無線パラメータの変更が必要となる場合、プライマリ基地局がトリガして交渉することに用いられる交渉モジュールと、
変更後無線パラメータを前記端末に送信することに用いられる送信モジュールとをさらに含む請求項１３に記載の基地局。
【国際調査報告】
2019534621.tif 000014
2019534621.tif 000015
2019534621.tif 000016
2019534621.tif 000017